(57)【要約】【課題】封緘用シュリンクシートに被封緘物を挿入し、封緘用シュリンクシートを、ドライヤー等を利用した熱風で加熱し、封緘用シュリンクシートを熱収縮させ被封緘物を封緘することで、店頭や自宅等において短時間で美しく包装できる包装セットを提供する。【解決手段】包装セットは、被封緘物を覆うことができる円筒形状の封緘用シュリンクシートと、前記封緘用シュリンクシートに挿入される被封緘物とからなる包装セットであって、前記封緘用シュリンクシートは熱風で熱収縮し、前記被封緘物を封緘でき、前記封緘用シュリンクシートの表面及び裏面の少なくとも一方には、１以上の印刷層が設けられており、前記封緘用シュリンクシートの幅方向の長さが、前記被封緘物の前記封緘用シュリンクシートへの挿入方向の長さよりも長い。【選択図】図５
2019023099.tif 000002
【特許請求の範囲】
【請求項１】
被封緘物を覆うことができる円筒形状の封緘用シュリンクシートと、
前記封緘用シュリンクシートに挿入される被封緘物と
からなる包装セットであって、
前記封緘用シュリンクシートは熱風で熱収縮し、前記被封緘物を封緘でき、
前記封緘用シュリンクシートの表面及び裏面の少なくとも一方には、１以上の印刷層が設けられており、
前記封緘用シュリンクシートの幅方向の長さが、前記被封緘物の前記封緘用シュリンクシートへの挿入方向の長さよりも長いことを特徴とする、包装セット。
【請求項２】
前記封緘用シュリンクシートの幅方向の長さが、前記被封緘物の前記封緘用シュリンクシートへの挿入方向の長さよりも２−３０％長いことを特徴とする、請求項１に記載の包装セット。
【請求項３】
前記封緘用シュリンクシートは、その開放端部が脆弱構造になっていることを特徴とする、請求項１又は２に記載の包装セット。
【請求項４】
前記脆弱構造は切り込み構造又はノッチ構造であることを特徴とする、請求項３に記載の包装セット。
【請求項５】
前記被封緘物は組み立て式であることを特徴とする、請求項１乃至４のいずれか１項に記載の包装セット。
【請求項６】
前記封緘用シュリンクシートは、熱収縮ポリスチレンフィルムであることを特徴とする、請求項１乃至５のいずれか１項に記載の包装セット。
【請求項７】
被封緘物を円筒形状の封緘用シュリンクシートで封緘する包装方法であって、該方法は、
ａ．前記封緘用シュリンクシートに前記被封緘物を挿入する工程と、
ｂ．前記封緘用シュリンクシートを熱風で加熱し、前記封緘用シュリンクシートを熱収縮させ、前記被封緘物を封緘する工程と
からなり、
前記封緘用シュリンクシートの表面及び裏面の少なくとも一方には、１以上の印刷層が設けられており、
前記封緘用シュリンクシートの幅方向の長さが、前記被封緘物の前記封緘用シュリンクシートへの挿入方向の長さよりも長いことを特徴とする、方法。
【請求項８】
前記工程ｂ．において、前記封緘用シュリンクシートを加熱する方法が、ドライヤーによる加熱であることを特徴とする、請求項７に記載の方法。
【発明の詳細な説明】
【技術分野】
【０００１】
本発明は包装セットに係り、より詳しくは、封緘用シュリンクシートに被封緘物を挿入し、封緘用シュリンクシートをドライヤーなどによる熱風で加熱し、封緘用シュリンクシートを熱収縮させ、被封緘物を封緘することで、店頭や自宅等において短時間で美しく包装できる包装セットに関する。
【背景技術】
【０００２】
従来、百貨店やスーパー、通信販売等のケース入り商品の包装（ラッピング）にはほとんどの場合包装紙やフィルムが使用されていた。
【０００３】
しかしながら、ケース入り商品を包装する店頭では、一つ一つの商品に対してキャラメル包みや斜め包み、場合によってはより複雑な包装を行う必要があり、煩雑で時間を要した。
複雑な包装を行うためには訓練が必要であるため、店頭の販売員はラッピングの講習会等を受けて練習を重ねる必要があった。
【０００４】
そこで、店頭において短時間で簡単に美しく包装するための包装用品や包装方法が求められている。
家庭においても贈答品等を簡易に見栄え良く包装できる包装用品や包装方法が求められている。
【０００５】
特許文献１には、測定温度１３０℃での幅方向の収縮率が４０〜９０％、全長方向の収縮率が−１〜−３０％である熱収縮性合成樹脂フィルムからなる、帯掛け状の包装用フィルム及びそれをケース入り商品のラッピングに使用する用途が開示されている。
【０００６】
熱収縮フィルムによる包装には、帯掛け包装とスリーブ包装がある。帯掛け包装は、被包装体の幅よりも狭い幅のフィルムを用い、被包装体の両側部が露出するように部分的に包装することを意味する。これに対し、スリーブ包装は、被包装体の幅よりも広い、筒形状の収縮フィルムを用いて被包装体全体を覆い包んで包装することを意味する。特許文献１の帯掛け状包装用フィルムは帯掛け包装に相当する。
特許文献１の帯掛け状包装用フィルムを用いれば、短時間で包装できるものの、これは帯掛け包装用のフィルムであるため、被包装体の少なくとも１つの面全体を覆い包むものではない。
【０００７】
特許文献１のフィルムは熱収縮性であるため、筒形状のフィルムに被包装体を挿入し、熱を用いて収縮させると被包装体に密着した状態で包装される。密着した状態だと被包装体の開封防止に優れているものの、開封時に開きにくいという問題点を有する。
【先行技術文献】
【特許文献】
【０００８】
【特許文献１】特許第２８３７０６０号
【発明の概要】
【発明が解決しようとする課題】
【０００９】
上記のように、店頭において短時間で容易に美しく包装でき、被包装体の少なくとも１面全体を覆い包み、且つ開封時に開きやすい包装セットは今までにない。
本発明は、上記したような従来技術の問題点を解決すべくなされたものであって、封緘用シュリンクシートに被封緘物を挿入し、封緘用シュリンクシートをドライヤーなどによる熱風で加熱し、封緘用シュリンクシートを熱収縮させ、被封緘物を封緘することで、店頭や自宅等において短時間で美しく包装できる包装セット及びその包装方法を提供するものである。
【課題を解決するための手段】
【００１０】
請求項１に係る発明は、被封緘物を覆うことができる円筒形状の封緘用シュリンクシートと、前記封緘用シュリンクシートに挿入される被封緘物とからなる包装セットであって、前記封緘用シュリンクシートは熱風で熱収縮し、前記被封緘物を封緘でき、前記封緘用シュリンクシートの表面及び裏面の少なくとも一方には、１以上の印刷層が設けられており、前記封緘用シュリンクシートの幅方向の長さが、前記被封緘物の前記封緘用シュリンクシートへの挿入方向の長さよりも長いことを特徴とする、包装セットに関する。
【００１１】
請求項２に係る発明は、前記封緘用シュリンクシートの幅方向の長さが、前記被封緘物の前記封緘用シュリンクシートへの挿入方向の長さよりも２−３０％長いことを特徴とする、請求項１に記載の包装セットに関する。
【００１２】
請求項３に係る発明は、前記封緘用シュリンクシートは、その開放端部が脆弱構造になっていることを特徴とする、請求項１又は２に記載の包装セットに関する。
に関する。
【００１３】
請求項４に係る発明は、前記脆弱構造が切り込み構造又はノッチ構造であることを特徴とする、請求項３に記載の包装セットに関する。
【００１４】
請求項５に係る発明は、前記被封緘物は組み立て式であることを特徴とする、請求項１乃至４のいずれか１項に記載の包装セットに関する。
【００１５】
請求項６に係る発明は、前記封緘用シュリンクシートは、熱収縮ポリスチレンフィルムであることを特徴とする、請求項１乃至５のいずれか１項に記載の包装セットに関する。
【００１６】
請求項７に係る発明は、被封緘物を円筒形状の封緘用シュリンクシートで封緘する包装方法であって、該方法は、ａ．前記封緘用シュリンクシートに前記被封緘物を挿入する工程と、ｂ．前記封緘用シュリンクシートを熱風で加熱し、前記封緘用シュリンクシートを熱収縮させ、前記被封緘物を封緘する工程とからなり、前記封緘用シュリンクシートの表面及び裏面の少なくとも一方には、１以上の印刷層が設けられており、前記封緘用シュリンクシートの幅方向の長さが、前記被封緘物の前記封緘用シュリンクシートへの挿入方向の長さよりも長いことを特徴とする、方法に関する。
【００１７】
請求項８に係る発明は、前記工程ｂ．において、前記封緘用シュリンクシートを加熱する方法が、ドライヤーによる加熱であることを特徴とする、請求項７に記載の方法に関する。
【発明の効果】
【００１８】
請求項１に係る発明によれば、前記封緘用シュリンクシートの幅方向の長さが、前記被封緘物の前記封緘用シュリンクシートへの挿入方向の長さよりも長いことで、開口部を備える被封緘物にあっては開口部周辺だけではなく、開口部を備えていない面にも封緘用シュリンクシートが密着するうえ開口部を備えていない被封緘物においてもほぼ被封緘物の全面に密着するため、しっかりと包装することができる。
封緘用シュリンクシートが円筒形状であることで、封緘用シュリンクシートの空洞部分に被封緘物を挿入し、熱を加えるだけで簡単に包装できる。
したがって、一面に開口部を備える被封緘物であれば、封緘用シュリンクシートとして透明又は半透明のものを用いれば、包装された状態であっても包装されている商品の内容を視認することができる。
前記封緘用シュリンクシートは熱風で熱収縮し、前記被封緘物を封緘できるため、店頭でドライヤーなどを用いて容易に包装することができる。
前記封緘用シュリンクシートの表面及び裏面の少なくとも一方に１以上の印刷層を設けることで、文字や図柄等を印刷して装飾性の高い包装とすることができる。
【００１９】
請求項２に係る発明によれば、前記封緘用シュリンクシートの幅方向の長さが、前記被封緘物の前記封緘用シュリンクシートへの挿入方向の長さよりも２−３０％長いものとすることで、封緘用シュリンクシートの開放端部に熱を加えることで、封緘用シュリンクシートが被封緘物のほぼ全面にも密着するので、よりしっかりと被封緘物を包装することができる。
【００２０】
請求項３に係る発明によれば、封緘用シュリンクシートの開放端部が脆弱構造になっていることにより、ハサミ等の道具が手元になくても手指だけで容易に開封できる包装とすることができる。
【００２１】
請求項４に係る発明によれば、脆弱構造が切り込み構造又はノッチ構造であることで、手だけでより容易に開封できる包装とすることができる。
【００２２】
請求項５に係る発明によれば、被封緘物が組み立て式であることで、組み立てる前の状態であればスペースをとらないので、狭い店頭であっても大量に保管することができ、且つ使用時にはその折り目や切れ目等に従って組み立てることで、短時間で簡単に被封緘物を完成させることができる。
【００２３】
請求項６に係る発明によれば、封緘用シュリンクシートを熱収縮ポリスチレンフィルムとすることで、被封緘物への密着性が高い封緘用シュリンクシートとなるため、被封緘物の開封防止に優れ、形が崩れにくい封緘用シュリンクシートとなる。
【００２４】
請求項７に係る発明によれば、被封緘物を円筒形状の封緘用シュリンクシートで封緘する封緘方法であって、該方法は、ａ．前記封緘用シュリンクシートに前記被封緘物を挿入する工程と、ｂ．前記封緘用シュリンクシートを熱風で加熱し、前記封緘用シュリンクシートを熱収縮させ、前記被封緘物を封緘する工程とからなることで、円筒形状の封緘用シュリンクシートに被封緘物を挿入して熱風を当てるだけで、店頭でも短時間で容易に美しく包装することができる。
また、少なくとも一面に開口部を備える被封緘物であれば、封緘用シュリンクシートとして透明又は半透明のものを用いれば、包装された状態であっても包装されている商品の内容を視認することができる。
封緘用シュリンクシートが円筒形状であることで、封緘用シュリンクシートの空洞部分に被封緘物を挿入し、熱を加えるだけで簡単に包装できる。
封緘用シュリンクシートの表面及び裏面の少なくとも一方には１以上の印刷層が設けられていることで、文字や柄等を印刷して装飾性の高い包装とすることができる。
前記封緘用シュリンクシートの幅方向の長さが、前記被封緘物の前記封緘用シュリンクシートへの挿入方向の長さよりも長いことで、開口部を備える被封緘物にあっては開口部周辺だけではなく、開口部を備えていない面にも封緘用シュリンクシートが密着するうえ開口部を備えていない被封緘物においてもほぼ被封緘物の全面に密着するため、しっかりと包装することができる。
【００２５】
請求項８に係る発明によれば、工程ｂ．において、前記封緘用シュリンクシートを加熱する方法が、ドライヤーによる加熱であることで、大掛かりな設備や装置を用いなくても店頭で容易に包装することができる。
【図面の簡単な説明】
【００２６】
【図１】本発明に係る被封緘物を示す図であって、（Ａ）は本発明に係る開口部を備えている被封緘物であり、（Ｂ）は本発明に係る開口部を備えていない被封緘物である。
【図２】切り込みを備えている本発明に係る円筒状の封緘用シュリンクシートを示す図である。
【図３】本発明に係る包装セットを示す図であって、被封緘物を円筒状の封緘用シュリンクシートに挿入し、熱によって被封緘物を封緘する前の状態を示す図である。
【図４】図３の包装セットのＡ−Ａ断面図である。
【図５】本発明に係る包装セットを示す図であって、被封緘物を印刷層を有する円筒状の封緘用シュリンクシートに挿入し、熱によって被封緘物を封緘した後の状態を示す図である。
【図６】ノッチ構造を備えている本発明に係る円筒状の封緘用シュリンクシートを示す図である。
【図７】本発明に係る封緘用シュリンクシートの幅方向及び全長方向を示す説明図であって、（Ａ）は円筒形状の封緘用シュリンクシートを示す図、（Ｂ）は封緘用シュリンクシートを幅方向に切断し、シート状に広げた様子を示す図である。
【発明を実施するための形態】
【００２７】
以下、本発明に係る包装セット及びその包装方法の好適な実施形態について、図面を参照しながら説明する。
【００２８】
＜包装セット＞
図１は、本発明に係る被封緘物を示す図であって、（Ａ）は本発明に係る開口部を備えている被封緘物であり、（Ｂ）は本発明に係る開口部を備えていない被封緘物である。
【００２９】
図１（Ａ）に示すように、本発明に係る包装セットは、少なくとも一面に開口部（２）を備える被封緘物（１）を含む。また、図１（Ｂ）に示すように、本発明に係る包装セットは、開口部（２）を備えていない被封緘物（１）も含む。
開口部（２）を備えていない被封緘物（１）として、図１（Ｂ）のように箱と蓋が一体になっているものであっても、箱と蓋が別体になっているものであっても良い。
図１（Ｂ）に示すような開口部を備えていない被封緘物（１）では一度包装してしまうと被封緘物（１）の中身を確認することができなくなるが、図１（Ａ）に示すように開口部（２）を備えていることにより、封緘用シュリンクシート（３）として透明又は半透明のものを用いれば、包装された状態であっても包装されている商品の内容を視認することができる。
本発明の被封緘物（１）は、開口部（２）を備えていても備えていなくても良い。開口部（２）は、被封緘物（１）の少なくとも一面にあればよく、図１（Ａ）に示すように天井面であっても、側面のいずれかであっても底面であってもよく、複数の面が開口部（２）を備えていても良い。
図１（Ａ）に示すように、面全体が開口部（２）であっても良く、面の一部が開口部（２）であっても良い。
【００３０】
被封緘物（１）の材料は、例えば、コートボール、チップボール、厚紙、段ボール等、従来から包装に用いられる箱の材料であればいずれであっても良く、これに限定されない。
被封緘物（１）の形状は、図１に示す如く四角いボックス型であっても、筒形状のものであっても、どんぶり型のものであっても良い。
【００３１】
本発明に係る被封緘物（１）は、組み立て式であっても良い。組み立て式の被封緘物（１）とすることで、組み立てる前の状態であればスペースをとらないので、狭い店頭でも大量に保管することができ、且つ使用時にはその折り目や切れ目等に従って組み立てることで、短時間で簡単に被封緘物（１）を完成させることができる。
【００３２】
図２は、切り込みを備えている本発明に係る円筒状の封緘用シュリンクシートを示す図である。
封緘用シュリンクシート（３）としては、測定温度６０℃での幅方向（Ｗ）の収縮率が０−１０％、全長方向（ＴＬ）の収縮率が５−７０％である熱収縮性合成樹脂フィルムが好適に用いられる。
本発明における封緘用シュリンクシート（３）の全長方向（ＴＬ）とは、図７に示す如く、円筒形状の封緘用シュリンクシート（３）を切断線（ＣＬ）に沿って幅方向（Ｗ）に切断し（図７の（Ａ）参照）、幅方向（Ｗ）と直交する方向の長さ（図７の（Ｂ）参照）を指す。
熱収縮性のフィルムを用いることにより、大掛かりな設備や装置を用いる必要も、包装方法に熟達した販売員がいる必要もなく、ドライヤー等で熱を加えることにより短時間で簡単に誰でも包装することができる。
【００３３】
熱収縮性合成樹脂として、ポリ塩化ビニル、ポリプロピレン、ポリエチレン、ポリスチレン、ポリオレフィン、ポリエチレンテレフタレート等一般的にシュリンクフィルムの材料として用いられているものを使用しても良い。
【００３４】
本発明に係る封緘用シュリンクシート（３）は、その開放端部に脆弱構造を有していてもよい。開放端部に脆弱構造を有することで、ハサミ等の道具が手元になくても手だけで容易に開封できる包装とすることができる。
【００３５】
脆弱構造は、図２に示すような直線状の切り込み（５）であっても良く、図６に示すようなＵ字又はＶ字の切り込みであるノッチ構造（６）であっても良い。
封緘用シュリンクシート（３）の一部をハーフカットによって傷つけても良く、封緘用シュリンクシート（３）を構成する成分が長鎖状の分子構造を持つ合成樹脂である場合には、分子の方向を揃えること、即ち配向性により脆弱性を付与しても良い。さらには、上述した各構造を併用して形成しても良い。要は、手指により切断できる構造であればいかなる構造であっても良い。
ただし、脆弱構造として特許文献１に記載されているようなミシン目を採用すると熱収縮した際に破けてしまう可能性があるため好ましくない。
【００３６】
切り込み（５）は、図２に示すような反対側の開放端部に達しないものであっても良いが、製造時および使用時における誤切断のリスクが小さければ反対側の開放端部に達する長さの切り込み（５）であっても良い。
切り込み（５）やノッチ構造（６）等の脆弱構造の数は、図２に示すように各開放端部に２つ、計４つであっても良いが、特に限定されない。１−３つであっても、４つを超える数であっても良い。
切り込み（５）やノッチ構造（６）等の脆弱構造は、開放端部にあれば良く、封緘した際に図２や図６に示すように被封緘物（１）の天井面側にあっても、底面側にあっても側面側にあっても良い。
【００３７】
本発明に係る封緘用シュリンクシート（３）は、図２に示すように円筒形状であることが好ましい。円筒形状であることにより、包装する際に複雑に折り目をつけて包装する必要がなく、円筒形状の封緘用シュリンクシート（３）の中に被封緘物（１）を挿入して熱を加えるだけで、短時間で簡単に包装することができる（図３−５参照）。
【００３８】
図５は、本発明に係る包装セットを示す図であって、被封緘物を、印刷層を有する円筒状の封緘用シュリンクシートに挿入し、熱によって被封緘物を封緘した後の状態を示す図である。
図５に示すように、封緘用シュリンクシート（３）は印刷層（４）を備えている。
印刷層（４）は、封緘用シュリンクシート（３）上にインクにより印刷された層のことを指す。
【００３９】
インクは、封緘用シュリンクシート（３）上に印刷するために通常用いられ、当業者に自明のものであれば、いかなるものも使用できる。
インクは、例えば、顔料インク、染料インク、印刷インク等が挙げられるが、これに限定されない。
インクには、バインダー、ポリマー、及び色素が含まれるが、これ以外の成分が含まれていても良い。
バインダー、ポリマー、及び色素は、印刷用のインクに通常用いられ、当業者に自明のものであれば、いかなるものも使用できる。
バインダーは、例えば、炭酸ソーダ、アンチモン塩類等が挙げられるが、これに限定されない。
色素（顔料・染料）は、例えば、無機顔料、有機顔料、レーキ顔料、蛍光顔料、天然染料、合成染料、蛍光染料等が挙げられるが、これに限定されない。
【００４０】
印刷層（４）には、図柄、文字、記号、又は色彩、あるいはそれらの１種以上の組み合わせを含むものが印刷される。
例えば、百貨店やスーパー、ブランドのロゴや、図５に示すようにイベント（クリスマス等）を表す図柄や文字が印刷される。
このような図柄、文字、記号又は色彩が封緘用シュリンクシート（３）上の印刷層（４）に印刷されていることにより、装飾性の高い包装とすることができる。
【００４１】
印刷層（４）は、封緘用シュリンクシート（３）に被封緘物（１）を挿入した際、被封緘物と接触する面となる裏面であっても、被封緘物と接触しない面となる表面であっても、その両方であっても良い。
【００４２】
封緘用シュリンクシート（３）の全長方向（ＴＬ）の長さは、被封緘物（１）の封緘用シュリンクシート（３）への挿入方向に対して垂直な方向の最大外周よりも長いことが望ましい。この構成により、円筒状の封緘用シュリンクシート（３）に被封緘物（１）を容易に挿入することができる。
【００４３】
封緘用シュリンクシート（３）の幅方向（Ｗ）の長さが被封緘物（１）の封緘用シュリンクシート（３）への挿入方向の長さよりも長いことが好ましい。この構成により、封緘用シュリンクシート（３）の開放端部に熱を加えることで、被封緘物（１）のほぼ全面に封緘用シュリンクシート（３）が密着するため、よりしっかりと被封緘物（１）を包装することができる。よりしっかりと包装できれば、運搬等の際に被封緘物（１）から封緘用シュリンクシート（３）が剥がれてしまうのを防ぐことができる。
【００４４】
封緘用シュリンクシート（３）の幅方向（Ｗ）の長さが被封緘物（１）の封緘用シュリンクシート（３）への挿入方向の長さよりも２−３０％長いことが好ましい。より好ましくは、封緘用シュリンクシート（３）の幅方向（Ｗ）の長さが被封緘物（１）の封緘用シュリンクシート（３）への挿入方向の長さよりも３−２０％長い。
上記の範囲よりも長いと、封緘用シュリンクシート（３）の開放端部を熱収縮させた際封緘用シュリンクシート（３）の長さが余ってしまうため、外観が美しい包装とすることができない。また、熱収縮させると封緘用シュリンクシート（３）の開放端部に折り目等がついてしまい、しっかりと被封緘物（１）に密着できず剥がれやすくなってしまう。
上記範囲よりも短いと、封緘用シュリンクシート（３）の開放端部は熱収縮させても被封緘物のほぼ全面に十分密着できず、はがれやすくなってしまう。加えて、上記範囲より短い封緘用シュリンクシート（３）を用いて開口部（２）を有する被封緘物（１）を封緘させようとした場合、開口部（２）を封緘用シュリンクシート（３）で全て覆うことができず、被封緘物（１）に入れる物品によっては被封緘物（１）から漏れたり、こぼれたりする虞がある。
【００４５】
＜本発明に係る包装セットを用いた包装方法＞
図３は、本発明に係る包装セットを示す図であって、被封緘物を円筒状の封緘用シュリンクシートに挿入し、熱によって被封緘物を封緘する前の状態を示す図であり、図４は図３の包装セットのＡ−Ａ断面図であり、図５は本発明に係る包装セットを示す図であって、被封緘物を、印刷層を有する円筒状の封緘用シュリンクシートに挿入し、熱によって被封緘物を封緘した後の状態を示す図である。
【００４６】
図３及び図４に示すように、円筒状の封緘用シュリンクシート（３）に被封緘物（１）を挿入する。
その後、封緘用シュリンクシート（３）を熱風で加熱し、封緘用シュリンクシート（３）を熱収縮させ、開口部（２）を備えている被封緘物（１）であれば少なくとも被封緘物（１）の開口部（２）を封緘する。少なくとも開口部（２）を封緘するために、開口部（２）周辺のみを熱風により加熱すれば良いが、開口部（２）以外のところを加熱して熱収縮させても良く、被封緘物（１）全体を加熱しても良い。
図５に示すように、封緘用シュリンクシート（３）の開放端部を加熱すれば、封緘用シュリンクシート（３）を被封緘物（１）に密着させることができる。
加熱する道具としては、容易に入手でき、安価で、スペースをとらないため、店頭に置いておくのに便利であるという観点からドライヤーが望ましいが、熱収縮に必要な熱を供給できるものであればいかなるものであっても良い。
【産業上の利用可能性】
【００４７】
本発明に係る包装セット及びその包装方法は、封緘用シュリンクシートに被封緘物を挿入し、封緘用シュリンクシートをドライヤーなどによる熱風で加熱し、封緘用シュリンクシートを熱収縮させ、被封緘物を封緘することで、短時間で容易に包装できる包装セットを提供できる。それゆえに、本発明に係る包装セット及びその包装方法は、例えば、百貨店やスーパー等の店頭において好適に使用される。加えて、家庭においても贈答品包装セットとして好適に使用できる。
【符号の説明】
【００４８】
１      被封緘物
２      開口部
３      封緘用シュリンクシート
４      印刷層
５      切り込み
６      ノッチ構造
ＣＬ    切断線
ＴＬ    全長方向
Ｗ      幅方向
【図１】
2019023099.tif 000003
【図２】
2019023099.tif 000004
【図３】
2019023099.tif 000005
【図４】
2019023099.tif 000006
【図５】
2019023099.tif 000007
【図６】
2019023099.tif 000008
【図７】
2019023099.tif 000009